(57)【要約】【課題】屋外環境の下で野生動物による食害から植生領域上の植物をより安定的に保護すると共に、よりコンパクトな形態をとり得る植生保護装置及び植生保護構造を提供する。【解決手段】  本発明の植生保護装置１００は、植生領域Ｇ上に配置され、植生植物Ｐを保護するものである。植生保護装置１００は、ジグザグ状に屈折する剛性の複数の金属線１０１ａからなる保護体１０１を備える。複数の金属線１０１ａが保護体１０１の長さ方向に並設されて菱形金網状に編み合わされ、保護体１０１の長さ方向において、複数の金属線１０１ａが互いに近接又は離隔するように変位可能である。そして、保護体１０１の幅方向に並設されるとともに保護体１０１の長さ方向に沿って延びる凸条部１０１ｂが形成される。凸条部１０１ｂの内部に植生植物Ｐを保護するための植生保護空間Ｒが定められる。【選択図】図１
2016154495.tif 000002
【特許請求の範囲】
【請求項１】
植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向に並設されるとともに前記保護体の長さ方向に沿って延びる凸条部が形成され、
前記凸条部の内部に前記植生植物を保護するための植生保護空間が定められることを特徴とする植生保護装置。
【請求項２】
前記凸条部は、幅方向及び長さ方向に複数の編み目が連続することによって構成され、前記凸条部の幅方向の両端で前記金属線が部分的に接地し、前記凸条部の幅方向の両端の間で複数の編み目が地面から浮いた状態で保持されることを特徴とする請求項１に記載の植生保護装置。
【請求項３】
前記保護体が長さ方向に巻き取られることによってロール体に変形可能であることを特徴とする請求項１又は２に記載の植生保護装置。
【請求項４】
前記凸条部の頂点の高さが保護対象の植生植物の生長点の高さよりも高いことを特徴とする請求項１から３のいずれか一項に記載の植生保護装置。
【請求項５】
法面上の植生領域の植生植物を保護する植生保護構造であって、請求項１から４のいずれか一項に記載の１以上の植生保護装置が前記法面の前記植生領域上に設置されていることを特徴とする植生保護構造。
【請求項６】
前記植生保護装置の前記保護体の長さ方向が前記法面の傾斜に沿って配置されていることを特徴とする請求項５に記載の植生保護構造。
【発明の詳細な説明】
【技術分野】
【０００１】
本発明は、法面や平地などの植生領域を保護するための植生保護装置及び植生保護構造に関する。
【背景技術】
【０００２】
自然破壊防止や景観保持のため、法面や平地などの領域に植物を植生するには、植物を植生するための植生領域を設置するのが一般的である。しかし、植生領域の設置場所が山奥深く入った道路の法面等であって、鹿などの野生植物が出没する地帯では、植生領域に植生された植物が野生動物に食い荒らされるといった食害被害が頻繁に起こっている。つまり、野生動物が植生領域に侵入して、生え揃ってきた植生植物の芽を食い荒らしたり、踏みつけることによって、植生植物が枯れたり、成長不良を起こしたりして、植生領域に十分な植生を行えなくなってしまうという問題があった。
【０００３】
従来、このような野生動物による食害を防止するために、野生動物に対して忌避材を使用する方法が提案されていた。例えば、特許文献１では、植生基材又は植生基材を収容した植生袋に忌避機能を有するように構成している。しかし、忌避材が風雨により流亡してしまったり、植生植物自体によって無力化されてしまったりする可能性が非常に高いので、この忌避機能を長期に亘って維持することは困難であると思われる。
【０００４】
これに対し、特許文献２は、植生領域Ｇ上に配置され、植生植物（Ｐ）を保護するための植生保護装置（１００）を開示する。該植生保護装置（１００）は、所定の可撓性、弾性及び通光性を有する植生保護シート（１０１）と、植生保護シート（１０１）を植生領域（Ｒ）上に固定するための固定具（１０２）とを備える。そして、植生保護シート（１０１）がアーチ状に屈曲した状態で植生領域（Ｒ）上に固定されて、植生保護シート（１０１）と植生領域（Ｇ）との間に植生植物Ｐを保護するための植生保護空間（Ｒ）が形成される。このアーチ状に屈曲した植生保護シート（１０１）は、その略半円状に湾曲して上方に張り出した姿勢を維持すべく所定の弾性（復元性）を有している。この弾性によって、植生保護シート（１０１）がぴんと張った状態で湾曲姿勢をとり、植生保護シート（１０１）と植生領域（Ｇ）表面とが離隔して植生保護空間（Ｒ）を維持する。その結果、野生動物（Ｄ）が植生植物（Ｐ）の根元や若芽の状態の植生植物（Ｐ）を食べたり、踏みつけたりすることが安定的に抑制される。そして、植生保護装置（１００）は、１枚の植生保護シート（１０１）を屈曲させることにより植生保護空間（Ｒ）を形成するため、植生保護シート（１０１）及び固定具（１０２）だけで構成可能であり、従来と比べても、非常に簡易であり、且つ、安価に製造可能である構造を有している。
【先行技術文献】
【特許文献】
【０００５】
【特許文献１】特開２００７−２０４５９号公報
【特許文献２】特許第５５０３０６７号公報
【発明の概要】
【発明が解決しようとする課題】
【０００６】
本植生保護に係る技術分野では、屋外環境の下でより長期間に亘って、鹿、猿、鳥などの野生動物（代表的には鹿）による獣害から植物を保護可能であり、より一層簡易（又は低コスト）な構造の植生保護装置を提供することが求められている。
【０００７】
特許文献２の植生保護装置の植生保護シートは、可撓性且つ弾性の樹脂シートであるので、例えば、高温多湿地や寒冷地などの厳しい気候条件の下では、長期間の経時によって、その弾発力が弱まり、植生保護装置の機能を発揮できなくなる虞があった。また、樹脂の代わりに金属を用いたとしても、弾性（可撓性）を持たせるために薄板で形成する必要があり、植生保護シートが経時によって割れたり、破損する虞があった。また、特許文献２の植生保護装置では、その植生保護領域が広域であるほど、数多くの可撓性且つ弾性の樹脂シートを準備する必要があった。そのため、植生保護装置の輸送や保管の際、複数の樹脂シートが積み重ねられるので、装置全体が嵩張ってしまうことが考えられ、より一層コンパクトな構造を有するように改善の余地が残されている。
【０００８】
本発明は、上記課題を解決するためになされたものであり、その目的は、屋外環境の下で野生動物による食害から植生領域上の植物をより安定的に保護すると共に、よりコンパクトな形態をとり得る植生保護装置及び植生保護構造を提供することにある。なお、本発明の「植生領域」とは、植物が植生される領域であり、野生動物や鳥類などによる被害から植生植物を保護すべき領域である。すなわち、「植生領域」は、法面、畑、田園、植生マットなどを含む広い概念である。同様に、「植生植物」とは、法面緑化のための草花、野菜や穀物などの食用植物などを含む広い概念である。
【課題を解決するための手段】
【０００９】
請求項１に記載の植生保護装置は、植生領域上に配置され、植生植物を保護するための植生保護装置であって、
ジグザグ状に屈折する剛性の複数の金属線からなる保護体を備え、
複数の金属線が保護体の長さ方向に並設されて菱形金網状に編み合わされ、保護体の長さ方向において、複数の金属線が互いに近接又は離隔するように変位可能であり、
保護体の幅方向に並設されるとともに保護体の長さ方向に沿って延びる凸条部が形成され、
凸条部の内部に植生植物を保護するための植生保護空間が定められることを特徴とする。
【００１０】
請求項２に記載の植生保護装置は、請求項１に記載の植生保護装置であって、凸条部は、幅方向及び長さ方向に複数の編み目が連続することによって構成され、凸条部の幅方向の両端で金属線が部分的に接地し、凸条部の幅方向の両端の間で複数の編み目が地面から浮いた状態で保持されることを特徴とする。
【００１１】
請求項３に記載の植生保護装置は、請求項１又は２に記載の植生保護装置であって、保護体が長さ方向に巻き取られることによってロール体に変形可能であることを特徴とする。
【００１２】
請求項４に記載の植生保護装置は、請求項１から３のいずれかに記載の植生保護装置であって、凸条部の頂点の高さが保護対象の植生植物の生長点の高さよりも高いことを特徴とする。
【００１３】
請求項５に記載の植生保護構造は、法面上の植生領域の植生植物を保護する植生保護構造であって、請求項１から４のいずれか一項に記載の１以上の植生保護装置が法面の植生領域上に設置されていることを特徴とする。
【００１４】
請求項６に記載の植生保護構造は、請求項５に記載の植生保護装置において、植生保護装置の保護体の長さ方向が法面の傾斜に沿って配置されていることを特徴とする。
【発明の効果】
【００１５】
請求項１に記載の発明によれば、剛性の複数の金属線が協働して凸条部が設けられ、該凸条部の内部に保護体の長さ方向に延びる植生保護空間が形成される。すなわち、植生保護空間は、複数の剛性の金属線によって定められているため、剛性の保護面によって安定的に植生保護空間の植生植物を保護できる。そして、保護面が剛性の金属線によって構成されているため、気候条件に影響を受けにくく、より高い耐久性を有する。また、保護体は、幅方向に剛性を有するが、長さ方向に複数の金属線が互いに近接又は離隔するように変形可能である。これにより、植生保護装置の輸送又は保管の際、保護体を長さ方向に収縮させたり、保護体をロール状に巻取って折り畳むことが可能となる。すなわち、本発明の植生保護装置は、屋外環境の下で野生動物による食害から植生領域上の植物をより安定的に保護可能であり、なお且つ、よりコンパクトな形態に変形可能である。
【００１６】
請求項２に記載の発明によれば、保護体の凸条部が、幅方向及び長さ方向に複数の編み目が連設することによって構成されていることにより、該凸条部の幅方向の両端の金属線のみが接地し、該両端の間の多くの編み目が地面から浮いた状態で保持される。すなわち、１本の金属線の長手方向において、地面と接する箇所の面積は比較的少なく、その大部分が地面から離隔して配置される。特に、金属線が地面に接する箇所では、湿度が高く、水分が溜まり易いため、錆や腐食が発生し易い。本発明では、幅方向に複数の編み目を浮かすように配置したことにより、錆や腐食が発生する箇所を最小限に留めている。さらに、接地面積が少ないため、保護体に乗った野生動物の重みで、保護体が地面に沈み込んだ場合、金属線が地中の植生植物の根に触れて、植生植物を損傷する虞を軽減することができる。
【００１７】
請求項３に記載の発明によれば、請求項１又は２の植生保護装置の効果に加えて、保護体を長さ方向に巻き取って１本のロール体を形成することにより、該植生保護装置の保管又は輸送において有利となる。さらに、ロール体の形態の植生保護装置を法面に設置する際、保護体の一端を法面の上位置に固定した上で、ロール体を法面の下方に転がすことにより、保護体が展開され、簡単に植生保護空間を形成することができる。すなわち、本発明の植生保護装置は法面への施工性を大幅に改善するものである。
【００１８】
請求項４に記載の発明によれば、請求項１から３のいずれかの植生保護装置の効果に加えて、剛性の金属線が植生植物の生長点を保護することにより、植生植物の生長点が野生動物に食べられたり、踏み付けられたりして植物が枯れることを抑制することができる。
【００１９】
請求項５に記載の発明によれば、請求項１から４のいずれかの植生保護装置の効果を法面上の植生保護構造として発揮することができる。したがって、本発明は、野生動物からの食害から植生領域上の植生植物をより確実に保護するものである。
【００２０】
請求項６に記載の発明によれば、請求項５の植生保護構造の効果に加えて、凸条部が法面の勾配方向に沿って延びているため、野生動物の足場になりにくい。例えば、本発明と対照的に、凸条部が法面の（勾配方向と直角な）等高線に沿って配置されている場合、法面上で凸条部が階段状に並列するため、野生生物の足場となりやすい。これに対し、本発明では、半筒状に隆起した植生保護空間が傾斜方向に延在し、保護体の全面が法面に沿って傾斜していることから、野生動物による食害被害を効果的に抑えることができる。
【図面の簡単な説明】
【００２１】
【図１】本発明の一実施形態の植生保護装置を法面に設置した植生保護構造の斜視図。
【図２】図１の植生保護構造の概略Ａ−Ａ断面図。
【図３】図１の植生保護構造の概略Ｂ−Ｂ断面図。
【図４】図１の植生保護装置の保護体の平面図。
【図５】図４の植生保護装置の保護体の部分拡大図であって、（ａ）保護体が張られた状態を示し、（ｂ）保護体が長さ方向に変形した状態を示す。
【図６】図４の植生保護装置をロール状に変形した形態の模式図。
【図７】図６のロール状の植生保護装置を法面に設置する工程を示す概略斜視図。
【発明を実施するための形態】
【００２２】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２３】
図１は、本発明の一実施形態の植生保護装置１００を法面の植生領域Ｇに設置した植生保護構造１０の斜視図である。図１に示すとおり、植生保護装置１００は、ジグザグ状に屈折する剛性の複数の金属線（鉄線）１０１ａからなる通光性及び通気性を有する保護体１０１と、植生領域Ｇ上に直接敷設される植生シート１０２と、保護体１０１及び植生シート１０２を植生領域Ｇに固定するための複数の固定具１０３と、を備える。図１において、法面の傾斜面に沿った方向を植生保護装置１００の長さ方向とし、法面の等高線に沿った方向（傾斜方向を直交する方向）を植生保護装置１００の幅方向と定めた。なお、本明細書では、植生保護装置１００を法面に設置した形態を説明するが、植生保護装置１００は法面以外の平坦地で利用可能であることは言うまでもない。
【００２４】
植生シート１０２は、肥料又は植生植物Ｐの種子を含有した複数の筋状の植生袋（図示せず）を備え、植生植物Ｐの植生を促進するように機能する。しかしながら、本発明において、当該植生シート１０２を省略することも可能である。また、固定具１０３は、一般的なアンカーや杭などが用いられる。
【００２５】
植生保護装置１００の設置状態において、保護体１０１の幅方向（法面の等高線に沿った方向）に並設されるとともに保護体１０１の長さ方向（傾斜方向）に沿って延びる複数の凸条部１０１ｂが形成されている。図２に示すとおり、各凸条部１０１ｂは、剛性を有するアーチ状に湾曲して、上方から植生シート１０２及び植生領域Ｇを覆っている。また、図３に示すとおり、凸条部１０１ｂは、法面の傾斜方向に沿って長手状に延びている。つまり、凸条部１０１ｂでは、略半円弧状の断面が長手方向に連続している。そして、凸条部１０１ｂは、幅方向及び長さ方向に複数の編み目が連続することによって構成されている。該凸条部１０１ｂの幅方向の両端で金属線１０１ａが部分的に接地し、該両端の間で複数の編み目が地面から浮いた状態で保持される。つまり、金属線１０１ａの大部分が地面から浮き上がった状態でアーチ状に保持されている。
【００２６】
該凸条部１０１ｂは例えば、鹿（特には、ニホンジカ）Ｄが保護体１０１の上に乗っても、撓み変形しない程度の剛性を有していることが好ましい。この剛性は、金属線１０１ａの材質及び径によって定められる。本実施形態では、金属線１０１ａは、鉄製であり、その径が約２ｍｍであるが、本発明はこれに限定されず、所望の剛性を有するように任意に選択される。例えば、金属線１０１ａの径は、鉄線であれば、植生保護装置１００の重量と剛性とのバランスを考慮すると、１ｍｍ〜４ｍｍ程度が好ましい。
【００２７】
そして、該凸条部１０１ｂの内部に植生植物Ｐを保護するための植生保護空間Ｒが定められる。つまり、凸条部１０１ｂの頂点の高さｈが植生保護空間Ｒの最大高さを表している。そして、凸条部１０１ｂの頂点の高さｈが保護対象の植生植物Ｐの高さよりも高いことが好ましい。より具体的には、凸条部１０１ｂの頂点の高さｈは、好ましくは、３０ｍｍ〜５００ｍｍである。例えば、高さｈが３０ｍｍ以下であると、野生動物Ｄが植生植物Ｐの根元や若芽の植生植物Ｐを傷付ける虞があり、植生植物Ｐの保護効果が半減する。他方、高さｈが５００ｍｍを超えると、屋外における強風の影響を受けやすくなり、その設置が不安定となる傾向がある。さらに、保護体１０１（凸条部１０１ｂ）の露出が多くなり、法面の美観を損ねる虞がある。より好ましくは、凸条部１０１ｂの頂点の高さｈは、５０ｍｍ〜２００ｍｍである。この範囲であれば、大半の植生植物Ｐの生長点を保護可能であり、尚且つ、強風の影響を受けにくく、法面の美観をほとんど損なうことがない。
【００２８】
図１に示すように、植生保護構造１０では、半円筒状の凸条部１０１ｂが法面の勾配に沿って延びているため、野生動物Ｄの足場になりにくい。例えば、本発明と対照的に、凸条部１０１ｂが法面の（勾配方向と直角な）等高線に沿って配置されている場合、法面上で凸条部１０１ｂが階段状に並列するため、野生生物Ｄの足場となりやすい。これに対し、図１に示すように、半筒状に隆起した植生保護空間Ｒが傾斜方向に延在し、保護体１０１の上面が法面に沿って傾斜していることから、野生動物Ｄによる足場を形成せずに食害被害を効果的に抑えることができる。特には、法面に縦方向に延びる凹凸の人工物が形成されるため、鹿等の野生動物Ｄが植生保護構造１０を忌避することも考えられる。
【００２９】
次に、図４及び図５を参照して、植生保護装置１００の保護体１０１をより詳細に説明する。図４は、該保護体１０１の平面図である。図５（ａ）は、設置状態の保護体１０１の部分拡大図である。図５（ｂ）は、長さ方向に縮み変形した保護体１０１の部分拡大図である。
【００３０】
図４及び図５（ａ）に示すように、保護体１０１は、ジグザグ状に屈折する剛性の複数の金属線１０１ａからなる。これら複数の金属線１０１ａが保護体１０１の長さ方向（図５の上下方向）に並設されて菱形金網（又はラス金網）状に編み合わされている。すなわち、保護体１０１の長さ方向において、複数の金属線１０１ａが互いに近接又は離隔するように変位可能である。なお、本実施形態では、複数の金属線１０１ａのジグザグによって形成される菱形状の編み目の一辺の長さは５０ｍｍである。食害防止の性能（つまり、鹿Ｄが侵入できない編み目幅）と編み目の目詰まりの回避の両方を考慮すると、該編み目は２０ｍｍ〜１００ｍｍ程度であることが好ましい。
【００３１】
当該保護体１０１は、一平面上でジグザグに屈折した各金属線をその平面の法線方向に湾曲変形させて形成した金属線１０１ａを径方向に複数本編み合わせたものである。つまり、各金属線１０１ａは、ジグザグの屈折とともに該ジグザグよりも緩やかに湾曲した複数の凹凸を有する。そして、複数の金属線１０１ａが協働して、幅方向に並列するとともに長さ方向に延びる複数の凸条部１０１ｂを形成している。本実施形態では、保護体１０１の全幅が１ｍであるのに対し、幅方向に４つの凸条部１０１ｂが形成されている。つまり、各凸条部１０１ｂの幅は約２５０ｍｍである。本実施形態では、植生保護装置１００の強度（剛性）及び植生保護空間Ｒの容量を両立して確保すべく、１ｍ幅で２〜５山程度の凸条部１０１ｂを形成することが好ましい。換言すると、凸条部１０１ｂ（植生保護空間Ｒ）の幅は、約２００ｍｍ〜約５００ｍｍであることが好ましい。しかしながら、設置状況に応じて、山数を任意に増減してもよい。
【００３２】
すなわち、該保護体１０１は、その長さ方向（図４，５の上下方向）に変形可能であり、且つ、その幅方向（図４，５の左右方向）において剛性を有している。つまり、保護体１０１は、長さ方向にのみ、各金属線１０１ａが移動可能な範囲で伸縮変形することが可能であり、尚且つ、各金属線１０１ａがジグザグの角部を支点として互いに回動するように変形可能である。そして、図１に示すような植生保護装置１００の敷設時には、各金属線１０１ａが当接するまで保護体１０１を長さ方向に伸ばして（又は張って）使用する。他方、植生保護装置１００の不使用（収納・保管）時に、保護体１０１をコンパクトなシート状に変形させたり、ロール状に巻いて変形させることが可能である（図６参照）。
【００３３】
図６は、保護体１０１を長さ方向に巻いてロール状に変形させた形態の模式図である。図６に示すとおり、凸条部１０１ｂの位置の間の谷部に合わせて幅方向に複数の隆起部が形成されている。そして、敷設時における保護体１０１の植生保護空間Ｒ側の面が外面に表れている。このとき、凸条部１０１ｂのアーチが維持されたまま、保護体１０１の長さ方向において、隣接する金属線１０１ａが互いに回動変位することで、保護体１０１が塑性変形や弾性変形することなく、ロール状に変形している。そして、当該ロール形態から、隣接する金属線１０１ａを逆方向に回動変位させることで、簡単に保護体１０１を使用形態に展開することができる。なお、保護体１０１を図６とは逆方向に巻いてロール状に変形させてもよい。この場合、敷設時における保護体１０１の植生保護空間Ｒ側の面がロールの内面に位置し、凸条部１０１ｂの位置に合わせて幅方向に複数の隆起部が形成される。
【００３４】
次いで、当該保護体１０１を製造する方法の一例を説明する。まず、各ジグザグ状の金属線が編み合わされた平面状の菱形金網を準備する。次に、菱形金網をその平面に対して直交する方向に隆起させるようにプレス等で湾曲変形させることにより、幅方向に複数の凹凸を有する保護体１０１を形成することができる。すなわち、市販の菱形（ラス）金網をプレス加工することにより保護体１０１を製造できるので、従来の植生保護装置（例えば特許文献２）と比べて大幅にその製造コストを抑えることができる。
【００３５】
続いて、図７を参照して、本実施形態の植生保護装置１００を法面上の植生領域Ｇに設置して、植生保護構造１０を構築する方法を説明する。図７は、ロール形態の保護体１０１を法面に展開して植生保護装置１００を植生領域Ｇに設置する工程を示す模式図である。
【００３６】
まず、法面上の植生領域Ｇに植生シート１０２を敷設するとともに、法面の上方にロール状に変形した保護体１０１を運搬する。このとき、保護体１０１がコンパクトな形態を保つので、運搬が容易である。次に、植生領域Ｇの上方で保護体１０１の長さ方向の一端を手で押さえるか、あるいは、固定具１０３で保護体１０１の長さ方向の一端を法面に固定する。そして、図７に示すように、保護体１０１の長さ方向の他端側のロール状に巻かれた部分を、重力の作用によって法面の傾斜面に沿って転がすように落下させる。これにより、凸条部１０１ｂが傾斜方向に延びるように保護体１０１が展開される。このとき、保護体１０１が長さ方向に十分に伸びるように配置する。最後に、展開された保護体１０１及び植生シート１０２に複数の固定具１０３を打ち込むことにより、保護体１０１及び植生シート１０２が植生領域Ｇに固定される。こうして、法面上に植生保護構造１０を構築することができる。
【００３７】
以下、本発明の一実施形態の植生保護装置１００及び植生保護構造１０の作用効果について説明する。
【００３８】
本実施形態の植生保護装置１００によれば、剛性の複数の金属線１０１ａが協働して凸条部１０１ｂが設けられ、該凸条部１０１ｂの内部に保護体１０１の長さ方向に延びる植生保護空間Ｒが形成される。すなわち、植生保護空間Ｒは、複数の剛性の金属線１０１ａによって定められているため、剛性の保護面で安定的に内部の植生保護空間Ｒの植生植物を保護できる。そして、保護面が剛性の金属線１０１ａによって構成されているため、屋外環境に影響を受けにくい。また、保護体１０１は、幅方向に剛性を有するが、長さ方向に複数の金属線１０１ａが互いに近接又は離隔するように変形可能である。これにより、植生保護装置１００の輸送又は保管の際、保護体１０１を長さ方向に収縮させたり、保護体１０１をロール状に巻取って折り畳むことが可能となる。そして、保護体１０１を長さ方向に巻き取って１本のロール体を形成することにより、該植生保護装置１００の保管又は輸送において有利となる。さらに、ロール体の形態の植生保護装置１００を法面に設置する際、保護体１０１の一端を法面の上位置に固定した上で、ロール体を法面の下方に転がすことにより、保護体１０１が展開され、簡単に植生保護空間Ｒを形成することができる。すなわち、本実施形態の植生保護装置１００は法面への施工性を大幅に改善するものである。
【００３９】
さらに、保護体１０１の凸条部１０１ｂが、幅方向及び長さ方向に複数の編み目が連設することによって構成されていることにより、該凸条部１０１ｂの幅方向の両端の金属線１０１ａのみが接地し、該両端の間の多くの編み目が地面から浮いた状態で保持される。すなわち、１本の金属線１０１ａの長手方向において、地面と接する箇所の面積は比較的少なく、その大部分が地面から離隔して配置される。特に、金属線１０１ａが地面に接する箇所では、湿度が高く、水分が溜まり易いため、錆や腐食が発生し易い。本実施形態では、幅方向に複数の編み目を浮かすように配置したことにより、錆や腐食が発生する箇所を最小限に留めている。さらに、複数の編み目が協働して保護体１０１の幅方向にアーチ状の剛性の保護面を形成している。例えば、絶え間なく保護体の金属線が地面に接しているような植生保護装置の場合、野生動物Ｄが保護体に乗った際、その重みで保護体を構成する金属線が地中に沈み込み、植生植物Ｐの根を切断するなど植生植物Ｐを損傷し易い。このような場合、本発明のような植生保護空間を形成し得ない。これに対し、本実施形態では、凸条部１０１ｂの幅方向の両端の間に金属線１０１ａが接地しないように連続する帯状の植生保護空間Ｒが定められる。これにより、野生動物Ｄが保護体１０１に乗ったとしても植生保護空間Ｒ内で金属線１０１ａが植生植物Ｐの根を傷つけることが抑えることをできる。
【００４０】
したがって、本実施形態の植生保護装置１００は、屋外環境の下で野生動物Ｄによる食害から植生領域Ｇ上の植生植物Ｐをより安定的に保護可能であり、よりコンパクトな形態に変形可能であり、そして、法面への施工容易性を改善するものである。
【００４１】
上述のとおり、本発明の一実施形態の植生保護装置１００及び植生保護構造１０を説明した。しかしながら、本発明は上述の一実施形態に限定されることはない。以下に本発明の変形例を説明する。
【００４２】
（１）上記実施形態では、植生保護装置１００の保護体１０１と植生シート１０２が別体として構成されているが、これらを予め一体的に結合してもよい。この場合、保護体１０１及び植生シート１０２を一体としてロール状に変形させることができるため、運搬や施工作業において有利となる。
【００４３】
（２）上記実施形態では、金属線１０１ｂがジグザグ状に鋭角に屈折しているが、本発明はこれに限定されない。例えば、金属線の屈折角を緩やかなものにしたり、丸みを帯びるようにしてもよい。
【００４４】
なお、本発明は上述した実施例や変形例に限定されるものではなく、本発明の技術的範囲に属する限りにおいて種々の態様で実施しうるものである。
【符号の説明】
【００４５】
１０      植生保護構造
１００    植生保護装置
１０１    保護体
１０１ａ  金属線
１０１ｂ  凸条部
１０２    植生シート
１０３    固定具
Ｐ        植生植物
Ｇ        植生領域
Ｒ        植生保護空間
ｈ        植生保護空間の高さ
Ｄ        鹿（野生動物）
【図１】
2016154495.tif 000003
【図２】
2016154495.tif 000004
【図３】
2016154495.tif 000005
【図４】
2016154495.tif 000006
【図５】
2016154495.tif 000007
【図６】
2016154495.tif 000008
【図７】
2016154495.tif 000009
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向に並設されるとともに前記保護体の長さ方向に沿って延びる複数の凸条部が形成され、
前記各凸条部の内部に前記植生植物を保護するための植生保護空間が定められ、
前記複数の凸条部は、幅方向及び長さ方向に複数の編み目が連続することによって構成され、前記各凸条部の幅方向の両端で前記金属線が部分的に接地し、前記各凸条部の幅方向の両端の間で複数の編み目が地面から浮いた状態で保持されることを特徴とする植生保護装置。
【請求項２】
前記保護体が長さ方向に巻き取られることによってロール体に変形可能であることを特徴とする請求項１に記載の植生保護装置。
【請求項３】
前記凸条部の頂点の高さが保護対象の植生植物の生長点の高さよりも高いことを特徴とする請求項１又は２に記載の植生保護装置。
【請求項４】
法面上の植生領域の植生植物を保護する植生保護構造であって、請求項１から３のいずれか一項に記載の１以上の植生保護装置が前記法面の前記植生領域上に設置されていることを特徴とする植生保護構造。
【請求項５】
前記植生保護装置の前記保護体の長さ方向が前記法面の傾斜に沿って配置されていることを特徴とする請求項４に記載の植生保護構造。
【手続補正２】
【補正対象書類名】明細書
【補正対象項目名】０００９
【補正方法】変更
【補正の内容】
【０００９】
請求項１に記載の植生保護装置は、植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向に並設されるとともに前記保護体の長さ方向に沿って延びる複数の凸条部が形成され、
前記各凸条部の内部に前記植生植物を保護するための植生保護空間が定められ、
前記複数の凸条部は、幅方向及び長さ方向に複数の編み目が連続することによって構成され、前記各凸条部の幅方向の両端で前記金属線が部分的に接地し、前記各凸条部の幅方向の両端の間で複数の編み目が地面から浮いた状態で保持されることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載の植生保護装置は、請求項１に記載の植生保護装置であって、保護体が長さ方向に巻き取られることによってロール体に変形可能であることを特徴とする。
【手続補正５】
【補正対象書類名】明細書
【補正対象項目名】００１２
【補正方法】変更
【補正の内容】
【００１２】
請求項３に記載の植生保護装置は、請求項１又は２に記載の植生保護装置であって、凸条部の頂点の高さが保護対象の植生植物の生長点の高さよりも高いことを特徴とする。
【手続補正６】
【補正対象書類名】明細書
【補正対象項目名】００１３
【補正方法】変更
【補正の内容】
【００１３】
請求項４に記載の植生保護構造は、法面上の植生領域の植生植物を保護する植生保護構造であって、請求項１から３のいずれか一項に記載の１以上の植生保護装置が法面の植生領域上に設置されていることを特徴とする。
【手続補正７】
【補正対象書類名】明細書
【補正対象項目名】００１４
【補正方法】変更
【補正の内容】
【００１４】
請求項５に記載の植生保護構造は、請求項４に記載の植生保護装置において、植生保護装置の保護体の長さ方向が法面の傾斜に沿って配置されていることを特徴とする。
【手続補正８】
【補正対象書類名】明細書
【補正対象項目名】００１６
【補正方法】変更
【補正の内容】
【００１６】
さらに、請求項１に記載の発明によれば、保護体の凸条部が、幅方向及び長さ方向に複数の編み目が連設することによって構成されていることにより、該凸条部の幅方向の両端の金属線のみが接地し、該両端の間の多くの編み目が地面から浮いた状態で保持される。すなわち、１本の金属線の長手方向において、地面と接する箇所の面積は比較的少なく、その大部分が地面から離隔して配置される。特に、金属線が地面に接する箇所では、湿度が高く、水分が溜まり易いため、錆や腐食が発生し易い。本発明では、幅方向に複数の編み目を浮かすように配置したことにより、錆や腐食が発生する箇所を最小限に留めている。さらに、接地面積が少ないため、保護体に乗った野生動物の重みで、保護体が地面に沈み込んだ場合、金属線が地中の植生植物の根に触れて、植生植物を損傷する虞を軽減することができる。
【手続補正９】
【補正対象書類名】明細書
【補正対象項目名】００１７
【補正方法】変更
【補正の内容】
【００１７】
請求項２に記載の発明によれば、請求項１の植生保護装置の効果に加えて、保護体を長さ方向に巻き取って１本のロール体を形成することにより、該植生保護装置の保管又は輸送において有利となる。さらに、ロール体の形態の植生保護装置を法面に設置する際、保護体の一端を法面の上位置に固定した上で、ロール体を法面の下方に転がすことにより、保護体が展開され、簡単に植生保護空間を形成することができる。すなわち、本発明の植生保護装置は法面への施工性を大幅に改善するものである。
【手続補正１０】
【補正対象書類名】明細書
【補正対象項目名】００１８
【補正方法】変更
【補正の内容】
【００１８】
請求項３に記載の発明によれば、請求項１又は２の植生保護装置の効果に加えて、剛性の金属線が植生植物の生長点を保護することにより、植生植物の生長点が野生動物に食べられたり、踏み付けられたりして植物が枯れることを抑制することができる。
【手続補正１１】
【補正対象書類名】明細書
【補正対象項目名】００１９
【補正方法】変更
【補正の内容】
【００１９】
請求項４に記載の発明によれば、請求項１から３のいずれかの植生保護装置の効果を法面上の植生保護構造として発揮することができる。したがって、本発明は、野生動物からの食害から植生領域上の植生植物をより確実に保護するものである。
【手続補正１２】
【補正対象書類名】明細書
【補正対象項目名】００２０
【補正方法】変更
【補正の内容】
【００２０】
請求項５に記載の発明によれば、請求項４の植生保護構造の効果に加えて、凸条部が法面の勾配方向に沿って延びているため、野生動物の足場になりにくい。例えば、本発明と対照的に、凸条部が法面の（勾配方向と直角な）等高線に沿って配置されている場合、法面上で凸条部が階段状に並列するため、野生生物の足場となりやすい。これに対し、本発明では、半筒状に隆起した植生保護空間が傾斜方向に延在し、保護体の全面が法面に沿って傾斜していることから、野生動物による食害被害を効果的に抑えることができる。